(57)【要約】      （修正有）【課題】五徳を備えながら、消火が容易な火消し壷兼用炉を提供する。【解決手段】炉本体１と火消蓋２と五徳部材３と支持部４とを有する。炉本体１は底部１１と側壁１２とを有し、内部に固形燃料を収容して燃焼可能な容器から成る。炉本体１は上部に開口１３を有し、側壁１２に開閉可能な空気穴１４を有する。火消蓋２は開口１３を開閉可能であって空気穴１４を閉じた状態で開口１３を閉じたとき炉本体１の内部を密閉するよう設けられる。五徳部材３は複数から成り、側壁１２の上部に開口１３より高い使用位置と低い収納位置とに回動して選択的に位置付け可能に設けられる。支持部４は伸縮可能であって折り畳んで火消蓋２の外面に重ねることが可能である。【選択図】図１
0003207429.tif 000002
【実用新案登録請求の範囲】
【請求項１】
炉本体と火消蓋と五徳部材とを有し、
前記炉本体は底部と側壁とを有し、内部に固形燃料を収容して燃焼可能な容器から成り、上部に開口を有し、前記側壁に開閉可能な空気穴を有し、
前記火消蓋は前記開口を開閉可能であって前記空気穴を閉じた状態で前記開口を閉じたとき前記炉本体の内部を密閉するよう設けられ、
前記五徳部材は複数から成り、前記側壁の上部に前記開口より高い使用位置と前記開口より低い収納位置とに選択的に位置付け可能に設けられていることを、
特徴とする火消し壷兼用炉。
【請求項２】
前記火消蓋は前記側壁の上縁部に沿った軸線を中心として回動可能に設けられ、前記炉本体を水平面上に設置したとき前記火消蓋の内面を上方に向けて前記火消蓋を水平に開いた状態で支持可能な支持部を有することを、特徴とする請求項１記載の火消し壷兼用炉。
【請求項３】
前記支持部は伸縮可能であって折り畳んで前記火消蓋の外面に重ねることが可能な構成を有することを、特徴とする請求項２記載の火消し壷兼用炉。
【考案の詳細な説明】
【技術分野】
【０００１】
本考案は、火消し壷兼用炉に関する。
【背景技術】
【０００２】
従来、火消蓋を着脱可能に設けて消火を簡易にできるようにした焜炉が開示されている（例えば、特許文献１参照）。
【先行技術文献】
【特許文献】
【０００３】
【特許文献１】特開平８−２８８７６号公報
【考案の概要】
【考案が解決しようとする課題】
【０００４】
しかしながら、特許文献１の焜炉は、火消蓋を設けたため、五徳を設けることができないことから、鍋などを置いたとき、安定性が悪いという課題があった。
【０００５】
本考案は、このような課題に着目してなされたもので、五徳を備えながら、消火が容易な火消し壷兼用炉を提供することを目的とする。
【課題を解決するための手段】
【０００６】
上記目的を達成するために、本考案に係る火消し壷兼用炉は、炉本体と火消蓋と五徳部材とを有し、前記炉本体は底部と側壁とを有し、内部に固形燃料を収容して燃焼可能な容器から成り、上部に開口を有し、前記側壁に開閉可能な空気穴を有し、前記火消蓋は前記開口を開閉可能であって前記空気穴を閉じた状態で前記開口を閉じたとき前記炉本体の内部を密閉するよう設けられ、前記五徳部材は複数から成り、前記側壁の上部に前記開口より高い使用位置と前記開口より低い収納位置とに選択的に位置付け可能に設けられていることを、特徴とする。
【０００７】
本考案に係る火消し壷兼用炉は、五徳部材を開口より高い使用位置に位置付けて使用される。炉本体の内部に炭などの固形燃料を収容し、空気穴を開いた状態にし、五徳部材の上に鍋などの調理器具を載せて、固形燃料に着火し燃焼させる。五徳部材により調理器具を安定させて加熱することができる。使用後、火消し壷として用いるときには、五徳部材を開口より低い収納位置に位置付けて空気穴と火消蓋とを閉じ、炉本体の内部を密閉する。炉本体の酸素がなくなることで、固形燃料を容易に消火することができる。
【０００８】
本考案に係る火消し壷兼用炉において、前記火消蓋は前記側壁の上縁部に沿った軸線を中心として回動可能に設けられ、前記炉本体を水平面上に設置したとき前記火消蓋の内面を上方に向けて前記火消蓋を水平に開いた状態で支持可能な支持部を有することが好ましい。
この場合、使用の際、火消蓋を水平に開き、その状態で火消蓋を支持部で支持することにより、火消蓋の内面を台として利用することができる。
【０００９】
本考案に係る火消し壷兼用炉において、前記支持部は伸縮可能であって折り畳んで前記火消蓋の外面に重ねることが可能な構成を有することが好ましい。
この場合、収納時または運搬時に、支持部を折り畳んで火消蓋の外面に重ねておくことにより、支持部が収納または運搬のじゃまにならず、便利である。
【考案の効果】
【００１０】
本考案によれば、五徳を備えながら、消火が容易な火消し壷兼用炉を提供することができる。
【図面の簡単な説明】
【００１１】
【図１】本考案の実施の形態の火消し壷兼用炉の使用状態を示す斜視図である。
【図２】図１の火消し壷兼用炉の収納状態を示す斜視図である。
【考案を実施するための形態】
【００１２】
以下、図面に基づき本考案の実施の形態について説明する。
図１および図２は、本考案の実施の形態を示している。
図１に示すように、火消し壷兼用炉は、炉本体１と火消蓋２と五徳部材３とを有している。炉本体１は、箱状であって底部１１と側壁１２とを有している。炉本体１は、内部に薪、炭などの固形燃料を収容して燃焼可能な金属製容器から成っている。炉本体１は、上部に正方形状の開口１３を有し、各側壁１２の下部に２つの空気穴１４を有している。各空気穴１４の上方の側壁１２には、燃焼調整用蓋１５が側壁１２の外面に沿って回転して空気穴１４を開閉可能に設けられている。燃焼調整用蓋１５は、任意の位置に位置付け、停止可能となっている。炉本体１の底部１１には、四隅に脚部１６が設けられている。炉本体１の内部には、空気穴１４の位置より上側と下側とに内部を仕切る着脱可能な網１７が設けられている。網１７は、外部から側壁１２を貫通して炉本体１の内部に突出するビスにより炉本体１の内部で支持される。
【００１３】
火消蓋２は、開口１３よりやや大きく、４つの側壁１２の外周と同じ大きさを有している。火消蓋２は、２つの蝶番２１で側壁１２の上部に取り付けられ、側壁１２の上縁部に沿った軸線を中心として回動可能に設けられている。これにより、火消蓋２は、開口１３を開閉可能であって空気穴１４を閉じた状態で開口１３を閉じたとき、炉本体１の内部を密閉するようになっている。
【００１４】
火消蓋２は、外面の蝶番２１と反対側の端部コーナーに支持部４を有している。支持部４は３枚の細長い板材をボルトで連結して成り、端部が火消蓋２に蝶番４１を介して取り付けられている。支持部４は、伸縮可能であって折り畳んで火消蓋２の外面に重ねることが可能となっている。支持部４は、引き伸ばすことにより、炉本体１を水平面上に設置したとき、火消蓋２の外面に対し垂直になり、火消蓋２の内面を上方に向けて火消蓋２を水平に開いた状態で支持可能となっている。火消蓋２の外面には、中央付近に取っ手２２が固定されている。
【００１５】
五徳部材３は、複数、例えば４枚の長方形の板材から成り、側壁１２の炉本体１の内側の４つの上部コーナー位置に設けられている。各五徳部材３は、長穴３ａを有し、その長穴３ａで１対の対向する側壁１２にその側壁１２に沿って軸材により回動可能に取り付けられている。各五徳部材３は、側壁１２に沿って回動したとき、開口１３より高い使用位置と開口１３より低い収納位置とに選択的に位置付け可能となっている。各五徳部材３は、使用位置のとき、取り付けられた側壁１２の隣の側壁１２の上縁部と係合可能な凹部３１を有している。各五徳部材３は、収納位置のとき、炉本体１の内部に収納される。
【００１６】
次に、作用について説明する。
本考案の実施の形態の火消し壷兼用炉は、五徳部材３を開口１３より高い使用位置に位置付けて使用される。五徳部材３は、凹部３１を側壁１２の隣の側壁１２の上縁部と係合させることにより、その上に鍋などの調理器具を載せても、しっかりと支持可能である。炉本体１の内部に炭などの固形燃料を収容し、燃焼調整用蓋１５を回転させて空気穴１４を開いた状態にし、五徳部材３の上に鍋などの調理器具を載せて、固形燃料に着火し燃焼させる。燃焼調整用蓋１５で空気穴１４の開閉度を調整することにより、固形燃料の火力を調整することができる。五徳部材３により調理器具を安定させて加熱することができる。使用の際、火消蓋２を水平に開き、その状態で支持部４を引き伸ばし、火消蓋２を支持部４で支持することにより、火消蓋２の内面を物が置ける台として利用することができる。
【００１７】
使用後、火消し壷として用いるときには、五徳部材３を開口１３より低い収納位置に位置付け、燃焼調整用蓋１５を回転させて空気穴１４を閉じるとともに火消蓋２を閉じ、炉本体１の内部を密閉する。炉本体１の酸素がなくなることで、固形燃料を容易に消火することができる。五徳部材３を備えながらも、五徳部材３を収納することにより炉本体１を密閉可能なため、消火が容易である。収納時または運搬時には、支持部４を折り畳んで火消蓋２の外面に重ねておくことにより、支持部４が収納または運搬のじゃまにならず、便利である。
【００１８】
火消し壷兼用炉は、炉本体１と火消蓋２と五徳部材３と支持部４とが一体的であり、分離しない構造のため、部材が分離する構造のものに比べて部材を紛失するおそれがない。
火消し壷兼用炉は、薪、炭などの固形燃料を安全に消火できるため、野外活動や災害時の調理設備として特に役立ち、固形燃料の再利用にも活用できる。
【符号の説明】
【００１９】
１  炉本体
２  火消蓋
３  五徳部材
３ａ  長穴
４  支持部
１１  底部
１２  側壁
１３  開口
１４  空気穴
１５  燃焼調整用蓋
１６  脚部
１７  網
２１  蝶番
３１  凹部
４１  蝶番
【図１】
0003207429.tif 000003
【図２】
0003207429.tif 000004